(57)【特許請求の範囲】
【請求項１】
撮像素子から出力された画像信号に対して画像処理を施して画像データを得る撮像装置において、
前記画像信号に対して画像処理を施す第１の画像処理手段と、
前記画像信号に対して前記第１の画像処理手段とは異なる画像処理を施す第２の画像処理手段と、
前記画像データを記録する記録媒体の種類に応じて、前記第１の画像処理手段又は前記第２の画像処理手段のいずれかを選択する選択手段とを有し、
前記第２の画像処理手段はホワイトバランス処理の目標値をパーソナルコンピュータのディスプレイモニタ及びプリンタの両方の色温度特性に対応した目標値に設定し、前記第１の画像処理手段はホワイトバランス処理の目標値をテレビジョンモニタの色温度特性に対応させるように前記第２の画像処理手段に比較して暖色側に設定するものであって、前記選択手段は前記記録媒体が磁気テープであれば前記第１の画像処理手段を選択し、前記記録媒体が取り外し可能な不揮発性メモリであれば前記第２の画像処理手段を選択することを特徴とする撮像装置。
【発明の詳細な説明】
【０００１】
【発明の属する技術分野】
本発明は、複数の記録媒体及び／又は複数の出力装置を備える撮像装置に関する。
【０００２】
【従来の技術】
従来、ビデオカメラなどの撮像装置において、撮影した画像を磁気テープに記録する他に、不揮発性メモリに記録してパーソナルコンピュータに取り込む方式が考案されている。これは、ビデオカメラがテレビジョン用として発展し、記録媒体に磁気テープを用いていたが、パーソナルコンピュータに画像を取り込むには不揮発性メモリの方が手軽なためである。
【０００３】
以下に、従来の撮像装置を図７を参照して説明する。図７は、従来の撮像装置の全体構成を示すブロック図である。
【０００４】
図７において、撮像装置１００は、結像用レンズ１０１と、露出制御のための絞り１０２と、入射した光を光電変換する撮像素子１０３と、撮像素子１０３に接続され、画像信号のガンマ処理、輪郭補正処理（アパーチャ補正）、ホワイトバランス処理、及びエンコード処理等を行う信号処理回路１０４と、信号処理回路１０４に切替スイッチ１１０を介して接続され、磁気テープを記録媒体とする磁気テープ記録装置１０５及び不揮発性メモリを記録媒体とする不揮発性メモリ記録装置１０６と、信号処理回路１０４と各記録装置との間の接続切替を行う記録媒体選択装置１０９と、信号処理回路１０４に接続され、画像信号のガンマ処理、輪郭補正処理、ホワイトバランス処理に用いる各種画像処理データを格納する画像処理データテーブル１０７とで構成される。
【０００５】
結像用レンズ１０１を通った入射光は、絞り１０２で露光量調節された上で撮像素子１０３に結像される。結像された画像は、撮像素子１０３で光電変換され、信号処理回路１０４に送られる。信号処理回路１０４では、画像処理データテーブル１０７に格納されている各種画像処理データを用いて、送られた画像信号のガンマ処理、輪郭補正処理、ホワイトバランス処理、及びエンコード処理等を行う。画像処理された画像信号は、記録媒体選択装置１０９により選択された磁気テープ記録装置１０５又は不揮発性メモリ記録装置１０６に出力され、画像データとして記録される。画像処理データテーブル１０７に格納されている各種画像処理データは、テレビジョンモニタの特性に合わせたものである。
【０００６】
磁気テープ記録装置１０５は、主に動画の画像信号を記録するものであり、例えば、記録された画像信号を再生してテレビジョンモニタで鑑賞する。また、不揮発性メモリ記録装置１０６は、主に静止画像の画像信号を記録するものであり、例えば、撮像装置から不揮発性メモリを取り外してパーソナルコンピュータで画像信号を読み出し、パーソナルコンピュータのディスプレイモニタで鑑賞したり、プリンタ等で印刷する。
【０００７】
【発明が解決しようとしている課題】
しかしながら、上記従来の撮像装置では、画像処理データテーブル１０７に格納された画像処理データがテレビジョン用に合わせられているので、パーソナルコンピュータに画像を取り込んだ場合に、ガンマ特性、アパーチャ、色などがパーソナルコンピュータのディスプレイモニタに適合しないため、画像の再現性が損なわれる場合があった。
【０００８】
一般に、テレビジョンモニタは、ガンマ特性２．２、色温度特性９６００Ｋ（ＮＴＳＣ日本）であるが、、パーソナルコンピュータのディスプレイモニタはガンマ特性１．８、色温度特性６５００Ｋ（基準値）で、明らかな違いがある。パーソナルコンピュータのディスプレイモニタは、テレビジョンモニタに比べて解像度が高いために、過度の輪郭強調で画質の低下に繋がる。更に、パーソナルコンピュータでプリンタに出力したときには、プリンタ側で輪郭強調が施されるため、過度の輪郭強調になる場合が多い。逆に、画像処理データをパーソナルコンピュータのディスプレイモニタに合わせたときは、テレビジョンモニタで表示される場合の画質が低下する。
【０００９】
本発明は、テレビジョンモニタ及びパーソナルコンピュータのディスプレイモニタでの表示に適した画像データを出力できるとともに、様々な出力装置で出力される可能性のある着脱可能な記録媒体に記録されたパーソナルコンピュータへの画像データについては、プリンタにより印刷した場合においても不適切な画質の画像となることを避けることができる撮像装置を提供することを目的とする。
【００１０】
【課題を解決するための手段】
上記目的を達成するために、請求項１記載の撮像装置は、撮像素子から出力された画像信号に対して画像処理を施して画像データを得る撮像装置において、前記画像信号に対して画像処理を施す第１の画像処理手段と、前記画像信号に対して前記第１の画像処理手段とは異なる画像処理を施す第２の画像処理手段と、前記画像データを記録する記録媒体の種類に応じて、前記第１の画像処理手段又は前記第２の画像処理手段のいずれかを選択する選択手段とを有し、前記第２の画像処理手段はホワイトバランス処理の目標値をパーソナルコンピュータのディスプレイモニタ及びプリンタの両方の色温度特性に対応した目標値に設定し、前記第１の画像処理手段はホワイトバランス処理の目標値をテレビジョンモニタの色温度特性に対応させるように前記第２の画像処理手段に比較して暖色側に設定するものであって、前記選択手段は前記記録媒体が磁気テープであれば前記第１の画像処理手段を選択し、前記記録媒体が取り外し可能な不揮発性メモリであれば前記第２の画像処理手段を選択することを特徴とする。
【００２４】
【発明の実施の形態】
（第１の実施の形態）
本発明の第１の実施の形態に係る撮像装置を図１〜図４を参照して説明する。図１は、本発明の第１の実施の形態に係る撮像装置の全体構成を示すブロック図である。
【００２５】
図１において、撮像装置１００は、結像用レンズ１０１と、露出制御のための絞り１０２と、入射した光を光電変換する撮像素子１０３と、撮像素子１０３に接続され、画像信号のガンマ処理、輪郭補正処理（アパーチャ補正）、ホワイトバランス処理、及びエンコード処理等を行う信号処理回路１０４と、信号処理回路１０４に切替スイッチ１１０を介して接続され、磁気テープを記録媒体とする磁気テープ記録装置１０５及び不揮発性メモリを記録媒体とする不揮発性メモリ記録装置１０６と、信号処理回路１０４に切替スイッチ１１１を介して接続され、画像信号のガンマ処理、輪郭補正処理、ホワイトバランス処理に用いる各種画像処理データを格納するテープ用画像処理データテーブル１０７Ａ及びメモリ用画像処理データテーブル１０７Ｂと、信号処理回路１０４と各記録装置、各画像処理データテーブルとの間の各接続切替を同時に行う記録媒体選択装置１０９とで構成される。
【００２６】
上記構成において、記録媒体選択装置１０９は、信号処理回路１０４と磁気テープ記録装置１０５又は不揮発性メモリ記録装置１０６との間の接続を切替スイッチ１１０により選択し、同時に信号処理回路１０４とテープ用画像処理データテーブル１０７Ａ又はメモリ用画像処理データテーブル１０７Ｂとの間の接続を切替スイッチ１１１により選択する。
【００２７】
結像用レンズ１０１を通った入射光は、絞り１０２で露光量調節された上で撮像素子１０３に結像される。結像された画像は、撮像素子１０３で光電変換され、信号処理回路１０４に送られる。信号処理回路１０４では、記録媒体選択装置１０９で選択されたテープ用画像処理データテーブル１０７Ａ又はメモリ用画像処理データテーブル１０７Ｂのいずれかに格納されている各種画像処理データを用いて、供給された画像信号のガンマ処理、輪郭補正処理、ホワイトバランス処理、及びエンコード処理等を行う。記録媒体選択装置１０９により磁気テープ記録装置１０５が選択された場合、画像信号は、テープ用画像処理データテーブル１０７Ａの画像処理データで処理され、磁気テープ用記録装置１０５に画像データとして記録される一方、記録媒体選択装置１０９により不揮発性メモリ記録装置１０６が選択された場合、画像信号は、メモリ用画像処理データテーブル１０７Ｂの画像処理データで処理され、不揮発性メモリ１０６に画像データとして記録される。
【００２８】
磁気テープ記録装置１０５は、動画などの画像データを記録するために、記憶容量が大きい磁気テープを記録媒体としている。一方、不揮発性メモリ記録装置１０６は、フラッシュＲＯＭ（フラッシュメモリ）を代表とする不揮発性メモリを記録媒体としている。不揮発性メモリは、静止画等の画像データを記録し、ランダムに読み出すことが可能で、サイズがコンパクトであることから、取り外してパーソナルコンピュータなどに直接接続することができる。
【００２９】
また、テープ用画像処理データテーブル１０７Ａにはテレビジョンモニタに適したガンマ処理、輪郭補正処理、ホワイトバランス処理の各種画像処理データが格納され、メモリ用画像処理データテーブル１０７Ｂにはパーソナルコンピュータのディスプレイモニタに適したガンマ処理、輪郭補正処理、ホワイトバランス処理の各種画像処理データが格納されている。これにより、磁気テープ記録装置１０５にテレビジョンモニタに適した画像データが記録され、不揮発性メモリ記録装置１０６にパーソナルコンピュータのディスプレイモニタに適した画像データが記録される。
【００３０】
通常、テレビジョンモニタとパーソナルコンピュータのディスプレイモニタとでは各種の特性が異なっている。このため、テレビジョンモニタを前提に各種特性に合わせた撮像装置で撮影して処理した画像は、テレビジョンモニタで再生した場合はバランスのとれた画像でも、パーソナルコンピュータのディスプレイモニタで再生した場合はバランスの悪い画像となることが多い。画像のバランスを左右する要素として、ガンマ特性、輪郭強調、及びホワイトバランスが挙げられる。
【００３１】
次に、第１の実施の形態に係る撮像装置におけるガンマ補正を図２を参照して説明する。図２は、図１のテープ用画像処理データテーブル１０７Ａ及びメモリ用画像処理データテーブル１０７Ｂの各ガンマ特性を示す特性図である。
【００３２】
図２において、曲線ａはテープ用画像処理データテーブル１０７Ａに格納されている画像処理用データのガンマ特性、曲線ｂはメモリ用画像処理データテーブル１０７Ｂに格納されている画像処理用データのガンマ特性をそれぞれ示す。ガンマ特性ａのガンマ係数は０．４５でテレビジョンモニタに適したものであり、ガンマ特性ｂのガンマ係数は０．５６でパーソナルコンピュータのディスプレイモニタに適したものである。
【００３３】
一般にガンマ特性は、テレビジョンモニタ等の印加電圧Ｖ、発光輝度Ｌを用い、次のような式で表される。
【００３４】
Ｌ＝ｃＶγ（ただしｃは定数で、γ（ガンマ特性）は２〜３の値をとる。）
この式において、印加電圧Ｖは、入力したＲＧＢ値に比例するので、同様な関係がＲＧＢ値と輝度値との間に仮定される。一般に、この関係を線形にすることがガンマ補正と呼ばれる処理である。
【００３５】
ガンマ特性は、ＮＴＳＣ方式のテレビジョンモニタでは２．２（日本におけるＮＴＳＣ方式では２．５）であり、ＰＡＬ方式のテレビジョンモニタでは２．８、パーソナルコンピュータのディスプレイモニタでは１．８である。例えば、ＮＴＳＣ方式のテレビジョンモニタで画像を再生する場合、撮像装置の信号処理においてガンマ係数を０．４５とすると、テレビジョンモニタの画像としてトータルのガンマ特性が１となり、ガンマ特性のバランスがとれた画像再生を行うことができる。
【００３６】
しかし、ガンマ係数を０．４５とした撮像装置からの画像をガンマ特性の異なるパーソナルコンピュータのディスプレイモニタで再生した場合には、トータルのガンマ特性が１未満になる。このため、階調性の悪い画像が再生される。
【００３７】
本実施の形態に係る撮像装置では、上述のように記録媒体の切替に応じてテープ用画像処理データテーブル１０７Ａ又はメモリ用画像処理データテーブル１０７Ｂを選択してガンマ特性を切替えるようにしたので、選択した記録媒体に適したガンマ処理を行うことができる。
【００３８】
次に、第１の実施の形態に係る撮像装置における輪郭強調補正を図３を参照して説明する。図３は、図１のテープ用画像処理データテーブル１０７Ａ及びメモリ用画像処理データテーブル１０７Ｂの各輪郭強調補正の違いを示した波形図であり、（ａ）はテープ用画像処理データテーブル１０７Ａを用いた輪郭強調補正時の信号の波形図、（ｂ）はメモリ用画像処理データテーブル１０７Ｂを用いた輪郭強調補正時の信号の波形図である。
【００３９】
図３（ａ）では、上から輪郭強調処理前の信号、テープ用の輪郭強調信号、テープ用の輪郭強調後の信号の各信号波形を表し、テープ用の輪郭強調後の信号の波形は、輪郭強調処理前の信号にテープ用の輪郭強調信号を加算したものである。図３（ｂ）では、上から輪郭強調処理前の信号、メモリ用の輪郭強調信号、メモリ用の輪郭強調後の信号の各信号波形を表し、メモリ用の輪郭強調後の信号の波形は、輪郭強調処理前の信号にメモリ用の輪郭強調信号を加算したものである。また、テープ用の輪郭強調信号、メモリ用の輪郭強調信号の各輪郭強調信号は、それぞれテープ用画像処理データテーブル１０７Ａ及びメモリ用画像処理データテーブル１０７Ｂに格納されている画像処理データを構成する。
【００４０】
一般に撮像装置では、テレビジョンモニタで再生する際の鮮鋭度を上げるために輪郭強調処理を施している。この輪郭強調処理は、画像信号にその高周波成分から生成した輪郭信号を加算し、見た目の鮮鋭度を上げている。しかしながら、パーソナルコンピュータではユーザによって好みの画像に画像処理することが可能であることから、その素材として通常の輪郭強調処理されていない画像の方が好ましい。また、一般にパーソナルコンピュータのディスプレイモニタの解像度はテレビジョンモニタの解像度に比べて高く、画像の鮮鋭度を上げるとかえって輪郭が強調されすぎるので、輪郭強調は少ない方が好ましい。
【００４１】
更に、輪郭強調が施されているとプリンタを用いて印刷する場合、プリンタのドライバにも印刷時に輪郭強調を施すものが多いため、予め輪郭強調を行った画像を印刷すると更に輪郭部分が太くなり、不自然な画像になってしまう場合が多い。
【００４２】
本実施の形態に係る撮像装置では、上述のように記録媒体の切替に応じてテープ用画像処理データテーブル１０７Ａ又はメモリ用画像処理データテーブル１０７Ｂを選択して輪郭補正処理を切替えるようにしたので、選択した記録媒体に適した輪郭補正処理を行うことができる。
【００４３】
次に、第１の実施の形態に係る撮像装置におけるホワイトバランス補正を図４を参照して説明する。図４は、図１のテープ用画像処理データテーブル１０７Ａ及びメモリ用画像処理データテーブル１０７Ｂの各ホワイトバランスの目標値の違いを示した図であり、（ａ）はテープ用ホワイトバランスの目標値を示した図、（ｂ）は、メモリ用ホワイトバランスの目標値を示した図である。
【００４４】
図４（ａ）のテープ用ホワイトバランスの目標値は、テープ用画像処理データテーブル１０７Ａに格納され、画像処理データとして用いられる。また、図４（ｂ）は、メモリ用ホワイトバランスの目標値を示し、メモリ用画像処理データテーブル１０７Ｂに格納され、同様に画像処理データとして用いられる。
【００４５】
同図の（ａ）の目標値は、テレビジョンモニタが比較的色温度特性が高いために多少暖色気味の設定としているが、（ｂ）の目標値は、パーソナルコンピュータのディスプレイモニタが比較的色温度特性が低く、また印刷時に白い部分に色が着くことを避けるためにニュートラルな設定としている。
【００４６】
一般に、テレビジョンモニタの色温度特性は、テレビジョンの方式や各国地域によって異なるが、ＮＴＳＣ方式では６７４０Ｋ（日本のＮＴＳＣ方式では９３００Ｋ）、ＰＡＬ方式やＨＤＴＶ（High Definition Television：高品位テレビジョン）方式では６５０４Ｋとなっている。これに対してパーソナルコンピュータのディスプレイモニタの色温度特性は、メーカーによって統一されていなかったが、カラーマネージメントの考え方の普及によって６５００Ｋを基準とするものが多くなってきている。
【００４７】
通常ホワイトバランス補正は、Ｇ＝Ｒ＝Ｂとなるように行うが、モニタによっては画像がアンバー系やブルー系に見えることがあり、色温度特性が９３００Ｋのテレビジョンモニタと６５００Ｋのパーソナルコンピュータのディスプレイモニタでは同じ色には見えないことが多い。
【００４８】
本実施の形態に係る撮像装置では、上述のように記録媒体の切替に応じてテープ用画像処理データテーブル１０７Ａ又はメモリ用画像処理データテーブル１０７Ｂを選択してホワイトバランス目標値を切替えるようにしたので、選択した記録媒体に適したホワイトバランス処理を行うことができる。
【００４９】
なお、上記実施の形態では、磁気テープ記録装置１０５及び不揮発性メモリ記録装置１０６の各記録装置は、それぞれ磁気テープ及び不揮発性メモリを記録媒体としたが、他の記録媒体を用いてもよい。また、テープ用画像処理データテーブル１０７Ａ及びメモリ用画像処理データテーブル１０７Ｂの各画像処理データは、他の異なる値でもよい。
【００５０】
第１の実施の形態によれば、撮像装置１００は、テレビジョンモニタ用及びパーソナルコンピュータのディスプレイモニタ用にそれぞれ適したガンマ処理、輪郭補正処理、ホワイトバランス処理の各画像処理データを、テープ用画像処理データテーブル１０７Ａ及びメモリ用画像処理データテーブル１０７Ｂにそれぞれ格納し、記録媒体選択装置１０９により磁気テープ記録装置１０５又は不揮発性メモリ記録装置１０６を選択すると共に、この選択した記録装置に対応したテープ用画像処理データテーブル１０７Ａ又はメモリ用画像処理データテーブル１０７Ｂの画像処理データを選択し、この選択された画像処理データを用いて画像信号を信号処理回路１０４で処理し、選択した磁気テープ記録装置１０５又は不揮発性メモリ記録装置１０６に記録することにより、所定の記録媒体を備えた各記録装置毎に、最適なガンマ処理、輪郭処理、及びホワイトバランス処理を行った画像データを記録するこができ、その画像データを用いてテレビジョンモニタでの鑑賞及びパーソナルコンピュータでの使用等使用目的に応じた最適な画像が得られる。
【００５１】
（第２の実施例）
本発明の第２の実施の形態に係る撮像装置を図５を参照して説明する。図５は、本発明の第２の実施の形態に係る撮像装置の全体構成を示すブロック図である。
【００５２】
図５において、撮像装置１００は、結像用レンズ１０１と、露出制御のための絞り１０２と、入射した光を光電変換する撮像素子１０３と、撮像素子１０３に接続され、画像信号のガンマ処理、輪郭補正処理、ホワイトバランス処理、及びエンコード処理等を行う信号処理回路１０４と、信号処理回路１０４に切替スイッチ１１０を介して接続され、磁気テープを記録媒体とする磁気テープ記録装置１０５及び不揮発性メモリを記録媒体とする不揮発性メモリ記録装置１０６と、信号処理回路１０４と各記録装置との間の接続切替を行う記録媒体選択装置１０９と、磁気テープ記録装置１０５と不揮発性メモリ記録装置１０６との間を切替スイッチ１１２，１１３を介して接続され、画像処理変換データを用いて画像処理の変換を行う信号変換回路１１４と、信号変換回路１１４に切替スイッチ１１５を介して接続され、画像処理の変換に用いる画像処理変換データを格納する第１の変換データテーブル１１６及び第２の変換データテーブル１１７と、信号変換回路１１４と各変換データテーブル、各記録装置との間の各接続の切替を同時に行うダビング選択装置１１８とで構成される。
【００５３】
上記構成において、記録媒体選択装置１０９は、信号処理回路１０４と磁気テープ記録装置１０５、不揮発性メモリ記録装置１０６との間の接続を記録媒体選択装置１０９により選択する。信号変換回路１１４は、磁気テープ記録装置１０５及び不揮発性メモリ記録装置１０６に記録されている画像データを相互にダビングする際に、その画像処理の変換を行う。第１の変換データテーブル１１６から信号変換回路１１４に画像処理変換データが供給され、第２の変換データテーブル１１７から信号変換回路１１４に第１の変換データテーブル１１６とは異なる画像処理変換データが供給される。ダビング選択装置１１８は、ダビングする方向を切替スイッチ１１２，１１３により選択する。
【００５４】
結像用レンズ１０１を通った入射光は、絞り１０２で露光量調節された上で撮像素子１０３に結像される。結像された画像は、撮像素子１０３で光電変換され、信号処理回路１０４に送られる。信号処理回路１０４では、供給された画像信号のガンマ処理、輪郭補正処理、ホワイトバランス処理、及びエンコード処理等を行う。画像信号は、記録媒体選択装置１０９に選択された磁気テープ記録装置１０５又は不揮発性メモリ記録装置１０６に画像データとして記録される。
【００５５】
磁気テープ記録装置１０５と不揮発性メモリ記録装置１０６との間で画像データをダビングする場合、まず記録されている画像データが切替スイッチ１１２又は切替スイッチ１１３を介して信号変換回路１１４に送られる。信号変換回路１１４では、ダビング選択装置１１８により選択された第１の変換データテーブル１１６又は第２の変換データテーブル１１７のいずれかに格納されている画像処理変換データを用いて、画像データのガンマ処理、輪郭補正処理、ホワイトバランス処理を行う。ダビング選択装置１１８により磁気テープ記録装置１０５から不揮発性メモリ記録装置１０６へのダビングが選択された場合、第１の変換データテーブル１１６が選択され、不揮発性メモリ記録装置１０６から磁気テープ記録装置１０５へのダビングが選択された場合、第２の変換データテーブル１１７が選択される。
【００５６】
次に、本実施の形態において、第１の実施の形態と同様に、テレビジョンモニタに適した画像データが磁気テープ記録装置１０５に記録され、パーソナルコンピュータのディスプレイモニタに適した画像データが不揮発性メモリ記録装置１０６に記録されている場合について説明する。
【００５７】
テレビジョンモニタ用として磁気テープ記録装置１０５に記録された画像データを不揮発性メモリ記録装置１０６にダビングする場合、パーソナルコンピュータのディスプレイモニタに適した画像となるように変換する必要がある。そこで、磁気テープ記録装置１０５に記録されている画像データをパーソナルコンピュータのディスプレイモニタに適したガンマ処理、輪郭補正処理、ホワイトバランス処理の各変換処理を行ってからダビングを行う。このとき、変換処理に用いる画像処理変換データは、第１の変換データテーブル１１６に格納されているものを用いる。反対に、パーソナルコンピュータのディスプレイモニタ用として不揮発性メモリ記録装置１０６に記録された画像データを磁気テープ記録装置１０５にダビングする場合、第２の変換データテーブル１１７が選択され、信号変換回路１１４にて画像処理変換データを用いてテレビジョンモニタに適した変換処理を行ってからダビングを行う。
【００５８】
なお、磁気テープ記録装置１０５及び不揮発性メモリ記録装置１０６の各記録媒体として、磁気テープ及び不揮発性メモリを用いたが、他の記録媒体を用いてもよい。
【００５９】
第２の実施の形態によれば、撮像装置１００は、磁気テープ記録装置１０５に記録された画像データ及び不揮発性メモリ記録装置１０６に記録された画像データの変換に用いる画像処理変換データを格納する第１の変換データテーブル１１６及び第２の変換データテーブル１１７を備え、磁気テープ記録装置１０５と不揮発性メモリ記録装置１０６との間の画像データのダビング時に、第１の変換データテーブル１１６又は第２の変換データテーブル１１７に格納した各画像処理変換データを用いて、画像処理を変換することにより、所定の記録媒体を備えた各記録装置毎に、最適なガンマ処理、輪郭補正処理、及びホワイトバランス処理を行った画像データを記録することができ、その画像データを用いてテレビジョンモニタでの鑑賞及びパーソナルコンピュータでの使用等使用目的に応じた最適な画像が得られる。
【００６０】
（第３の実施の形態）
次に、本発明の第３の実施の形態に係る撮像装置を図６を参照して説明する。図６は、本発明の第３の実施の形態に係る撮像装置の全体構成を示すブロック図である。
【００６１】
図６において、撮像装置１００は、結像用レンズ１０１と、露出制御のための絞り１０２と、入射した光を光電変換する撮像素子１０３と、撮像素子１０３に接続され、画像信号のガンマ処理、輪郭補正処理、ホワイトバランス処理、及びエンコード処理等を行う信号処理回路１０４と、信号処理回路１０４に接続され、信号処理回路１０４から出力された画像信号を記録する記録媒体を備えた記録装置１２０と、パーソナルコンピュータ等に対して画像のディジタル信号を出力する第１の出力装置１２１と、テレビジョンモニタに対して画像のアナログ信号を出力する第２の出力装置１２２と、記録装置１２０に接続され、記録された画像データに対して所定の信号処理を行い、第２の出力装置１２２に送る信号処理回路１２３とで構成される。
【００６２】
結像用レンズ１０１を通った入射光は、絞り１０２で露光量調節された上で撮像素子１０３に結像される。結像された画像は、撮像素子１０３で光電変換され、信号処理回路１０４に送られる。信号処理回路１０４では、画像信号のガンマ処理、輪郭補正処理、ホワイトバランス処理、及びエンコード処理等を行い、処理された画像信号が記録装置１２０に送られ、記録装置１２０に画像データとして記録される。
【００６３】
記録された画像データは、第１の出力装置１２１からディジタル信号として出力され、一方、第２の出力装置１２２から信号処理回路１２３にてガンマ処理、輪郭補正処理、ホワイトバランス処理を行った画像データが、アナログ信号として出力される。
【００６４】
第１の出力装置１２１から出力されるデジタル信号の画像データは、ガンマ処理、輪郭補正処理、ホワイトバランス処理をしていない画像データであるので、パーソナルコンピュータ等での利用に適している。一方、信号処理回路１２３にて上記処理を行ったアナログ信号の画像データは、テレビジョンモニタでの利用に適している。
【００６５】
なお、記録装置１２０の記録媒体は、磁気テープ又は不揮発性メモリでもよいし、他の記録媒体でもよい。また、第１の出力装置１２１の前段に、信号処理回路１２３とは異なる信号処理回路を介した信号処理を行ってもよい。
【００６６】
第３の実施の形態によれば、撮像装置１００は、所定の記録媒体を備えた記録装置１２０に記録された画像データを、一方の第１の出力装置からデジタル信号として出力し、他方、信号処理回路１２３にて所定の画像処理を行った後、第２の出力装置からアナログ信号として出力することにより、同じ画像データについて画像処理したものと処理していないものと両方出力することができ、テレビジョンモニタでの鑑賞及びパーソナルコンピュータでの使用等使用目的に応じた最適な画像が得られる。
【００６７】
【発明の効果】
以上説明したように、本発明の撮像装置によれば、テレビジョンモニタ及びパーソナルコンピュータのディスプレイモニタでの表示に適した画像データを出力できるとともに、様々な出力装置で出力される可能性のある取り外し可能な記録媒体に記録されたパーソナルコンピュータへの画像データについては、プリンタにより印刷した場合においても不適切な画質の画像となることを避けることができる。
【図面の簡単な説明】
【図１】本発明の第１の実施の形態に係る撮像装置の全体構成を示すブロック図である。
【図２】図１のテープ用画像処理データテーブル１０７Ａ及びメモリ用画像処理データテーブル１０７Ｂの各ガンマ特性を示す特性図である。
【図３】図１のテープ用画像処理データテーブル１０７Ａ及びメモリ用画像処理データテーブル１０７Ｂの各輪郭強調補正の違いを示した波形図であり、（ａ）はテープ用画像処理データテーブル１０７Ａを用いた輪郭強調補正時の信号の波形図、（ｂ）はメモリ用画像処理データテーブル１０７Ｂを用いた輪郭強調補正時の信号の波形図である。
【図４】図１のテープ用画像処理データテーブル１０７Ａ及びメモリ用画像処理データテーブル１０７Ｂの各ホワイトバランスの目標値の違いを示した図であり、（ａ）はテープ用ホワイトバランスの目標値を示した図、（ｂ）は、メモリ用ホワイトバランスの目標値を示した図である。
【図５】本発明の第２の実施の形態に係る撮像装置の全体構成を示すブロック図である。
【図６】本発明の第３の実施の形態に係る撮像装置の全体構成を示すブロック図である。
【図７】従来の撮像装置の全体構成を示すブロック図である。
【符号の説明】
１００  撮像装置
１０１  結像用レンズ
１０２  絞り
１０３  撮像素子
１０４，１２３  信号処理回路
１０５  磁気テープ記録装置
１０６  不揮発性メモリ記録装置
１０７  画像処理データテーブル
１０７Ａ  テープ用画像処理データテーブル
１０７Ｂ  メモリ用画像処理データテーブル
１０９  記録媒体選択装置
１１０，１１１，１１２，１１３，１１５  切替スイッチ
１１４  信号変換回路
１１６  第１の変換データテーブル
１１７  第２の変換データテーブル
１１８  ダビング選択装置
１２０  記録装置
１２１  第１の出力装置
１２２  第２の出力装置
【図１】
0004035263.tif 000002
【図２】
0004035263.tif 000003
【図３】
0004035263.tif 000004
【図４】
0004035263.tif 000005
【図５】
0004035263.tif 000006
【図６】
0004035263.tif 000007
【図７】
0004035263.tif 000008